(57)【要約】【課題】  押釦スイッチの構造において、押釦の操作性を向上させ、スイッチの誤作動を防止する。【解決手段】  リング状に形成された第１の押釦１０は、アッパーケース３に設けた操作窓９に臨んでいる。第１の押釦１０の嵌合孔１０ａに嵌合する規制部材２０は、ダイヤルボタン等を支持しアッパーケース３に取り付けられる枠状部材１４に支持部１８を介して支持されている。第２の押釦１１は規制部材２０の摺動孔２０ａに臨み、鍔１１ａが摺動孔２０ａの下端縁に係合することにより、摺動孔２０ａからの抜けが規制されている。【選択図】  図３
2008130419.tif 000002
【特許請求の範囲】
【請求項１】
筺体の操作窓に臨みリング状に形成された第１の押釦と、この第１の押釦の中央部に設けられた第２の押釦と、これら第１および第２の押釦にそれぞれ対向する導電部を有し両押釦を前記操作窓から突出させる方向に付勢するラバーシートと、このラバーシートに対向し前記導電部を介して閉成される接点部を有する基板とを備えた押釦スイッチの構造において、前記筺体に取り付けられる取付部材を設け、この取付部材に、前記第２の押釦に係合して第２の押釦の前記操作窓からの抜けを規制する規制部材を一体に形成したことを特徴とする押釦スイッチの構造。
【請求項２】
前記規制部材によって予め前記第２の押釦が前記ラバーシート側に押圧されていることを特徴する請求項１記載の押釦スイッチの構造。
【請求項３】
前記取付部材を、枠状部材とこの枠状部材に可撓性を有する連結部材を介して一体に連結された複数の押釦とによって形成したことを特徴とする請求項１または２記載の押釦スイッチの構造。
【発明の詳細な説明】
【技術分野】
【０００１】
本発明は、リング状に形成された第１の押釦とこの第１の押釦の中央に設けられた第２の押釦とからなる押釦スイッチの構造に関するものである。
【背景技術】
【０００２】
この種の押釦スイッチの構造としては、リング状に形成された第１の押釦と、この第１の押釦の中央部に設けられた摺動孔に摺動自在に支持された第２の押釦と、これら第１および第２の押釦とプリント基板との間に設けられプリント基板の接点部を閉成する導電部を有するラバーシートとを備えたものがある。この従来の押釦スイッチの構造においては、第１および第２の押釦の操作窓からの抜けを規制するために、第１の押釦に筺体の操作窓の端縁に係合する鍔が設けられ、第２の押釦には第１の押釦の摺動孔の下端縁に係合する鍔が設けられている（例えば、特許文献１参照）。
【特許文献１】特開２０００−２３６３８０号公報（図５）
【発明の開示】
【発明が解決しようとする課題】
【０００３】
上述した従来の押釦スイッチの構造においては、第２の押釦の鍔が第１の押釦の摺動孔の下端縁に係合することにより、第２の押釦の操作窓からの抜けを規制する構造であるため、第１の押釦の押し下げ操作によって第２の押釦も追従して押し下げられる。このため、第１の押釦の押し下げ時に指に余計な負荷がかかるため操作性が悪いというばかりではなく、第２の押釦によって誤ってプリント基板の接点部を閉成させてしまうおそれもあった。
【０００４】
本発明は上記した従来の問題に鑑みなされたものであり、その目的とするところは、押釦の操作性を向上させ、スイッチの誤作動を防止した押釦スイッチの構造を提供するところにある。
【課題を解決するための手段】
【０００５】
この目的を達成するために、請求項１に係る発明は、筺体の操作窓に臨みリング状に形成された第１の押釦と、この第１の押釦の中央部に設けられた第２の押釦と、これら第１および第２の押釦にそれぞれ対向する導電部を有し両押釦を前記操作窓から突出させる方向に付勢するラバーシートと、このラバーシートに対向し前記導電部を介して閉成される接点部を有する基板とを備えた押釦スイッチの構造において、前記筺体に取り付けられる取付部材を設け、この取付部材に、前記第２の押釦に係合して第２の押釦の前記操作窓からの抜けを規制する規制部材を一体に形成したものである。
【０００６】
請求項２に係る発明は、請求項１に係る発明において、前記規制部材によって予め前記第２の押釦が前記ラバーシート側に押圧されている。
【０００７】
請求項３に係る発明は、請求項１または２に係る発明において、前記取付部材を、枠状部材とこの枠状部材に可撓性を有する連結部材を介して一体に連結された複数の押釦とによって形成したものである。
【発明の効果】
【０００８】
請求項１に係る発明によれば、規制部材によって第２の押釦の筺体からの抜けを規制するようにしたことにより、第１の押釦と第２の押釦との互いの独立性が保たれるため、第１の押釦の押し下げ時に第２の押釦が追従することがないから操作性が向上する。また、第１の押釦の押し下げ操作によって第２の押釦が追従することがないから、第２の押釦によって誤ってスイッチを閉成させてしまうようなこともない。
【０００９】
請求項２に係る発明によれば、第２の押釦が予めラバーシートによって付勢されていることにより、第２の押釦の押圧開始時において第２の押釦を押し下げようとする指に負荷が加わり、かつ第２の押釦のストロークも短くなるため、指にクリック感を付与することができるから操作感覚を向上させることができる。
【００１０】
請求項３に係る発明によれば、規制部材を枠状部材に支持された他の押釦と共に筺体に組み付けることができるため組立が容易になる。
【発明を実施するための最良の形態】
【００１１】
以下、本発明の実施の形態を図に基づいて説明する。図１は本発明に係る押釦スイッチの構造を適用した電話機の外観斜視図、図２は同じく電話機の平面図、図３は同じく要部を分解して示す斜視図、図４は図２におけるIV-IV 線断面図、図５（Ａ）は同じくダイヤル釦ユニットの平面図、同図（Ｂ）は同図（Ａ）におけるＶ（Ｂ）矢視図である。図６は図２におけるVI-VI 線断面図、図７は第１の押釦を押し下げた状態を示す図２におけるIV-IV 線断面図、図８は第２の押釦を押し下げた状態を示す図２におけるIV-IV 線断面図、図９は同じく第２の押釦を押し下げる力と第２の押釦のストロークとの関係を説明するための図である。
【００１２】
図１に全体を符号１で示す電話機は、共に浅底状に形成されたロアーケース２とアッパーケース３とによって構成されており、アッパーケース３の左側部にはハンドセット４を載置するハンドセット載置部５が設けられている。また、アッパーケース３の後部側には、図２に示すように表示器６が起立自在に支持されており、中央部には多数の機能釦７および一つの機能釦７Ａならびに複数のダイヤル釦８が設けられている。
【００１３】
次に、図２ないし図６を用いて、本発明の特徴である機能釦７Ａについて説明する。機能釦７Ａは、図３に示すようにアッパーケース３に設けた円形の操作窓９に臨むリング状に形成された第１の押釦１０と、この第１の押釦１０の中央部に設けられる扁平な円柱状に形成された第２の押釦１１とによって構成されている。
【００１４】
第１の押釦１０の中央部には嵌合孔１０ａが設けられており、円周方向に等間隔おいて４個の操作部１０ｂないし１０ｅが設けられ、下端に操作窓９の下端縁に係合する鍔１０ｆが設けられている。第２の押釦１１の下端には、後述する規制部材２０の摺動孔２０ａの下端縁に係合する鍔１１ａが設けられている。
【００１５】
図５に全体を符号１３で示すものは、取付部材としてのダイヤル釦ユニットであって、プラスチックによって断面が長方形に形成され比較的剛性の大きい枠状部材１４と、この枠状部材１４と可撓性を有しＬ字状または逆Ｌ字状に形成された連結部材１５を介して連結された上記機能釦７およびダイヤル釦８とによって一体に形成されている。
【００１６】
１６は枠状部材１４の複数箇所に一体に設けられたピン挿入用筒部であって、アッパーケース３の裏面に突設された位置決めピン３ａ（図６参照）に係入され、係入されることによって機能釦７とダイヤル釦８とがアッパーケース３に形成された機能釦孔７ａとダイヤル釦孔８ａ（図３参照）とに臨むように位置付けられる。１７は枠状部材１４の略中央部に一体に設けられたスタッド挿通用筒部であって、アッパーケース３の裏面に突設されたスタッド３ｂ（図６参照）に挿通される。そして、後述するプリント基板２５とラバーシート２２とを取り付けるねじ２６をスタッド３ｂに螺合させることにより、ダイヤル釦ユニット１３、ラバーシート２２およびプリント基板２５が堆積状態でアッパーケース３の裏面に取り付けられる。
【００１７】
図５において、１８，１８は枠状部材１４から一体に延設された比較的剛性の大きい支持部であって、互いの先端が連結部１９によって連結されており、連結部１９の両端部には上記したピン挿入用筒部１６が一体に設けられている。これら支持部１８，１８には、上記した第１の押釦１０の嵌合孔１０ａに嵌合するリング状に形成された規制部材２０が一体に設けられている。この規制部材２０の中央部には、上記した第２の押釦１１が臨む摺動孔２０ａが設けられ、裏面側にラバーシート２２を係止する略円筒状に形成された係止部２０ｂ（図４参照）が突設されている。
【００１８】
図３において、２２は弾性変形可能なゴム状部材によって平面視長方形に形成されたラバーシートであって、第１の押釦１０の４個の操作部１０ｂないし１０ｅのそれぞれによって押圧される４個の第１の押圧体２３と、第２の押釦１１によって押圧される第２の押圧体２４とが一体に立設されている。第１の押圧体２３は円柱状に形成されており、図４に示すように可撓性を有しスカート状に形成された弾性支持部２３ａを介してラバーシート２２に立設され、裏面には第１の押釦１０の４個の操作部１０ｂないし１０ｅに対向する導電部２３ｂが設けられている。第２の押圧体２４は略円筒状に形成されており、図４に示すように可撓性を有しスカート状に形成された弾性支持部２４ａを介してラバーシート２２に立設され、裏面には第２の押釦１１に対向する導電部２４ｂが設けられている。
【００１９】
図３において、２５は平面視長方形に形成されたプリント基板であって、４個の第１の押圧体２３の導電部２３ｂのそれぞれに対向する第１の接点部２５ａと、第２の押圧体２４の導電部２４ｂに対向する第２の接点部２５ｂとが設けられている。
【００２０】
このような構成において、第１の押釦１０を図３に示すようにアッパーケース３の裏面側から操作窓９に嵌合させ、この第１の押釦１０の嵌合孔１０ａに規制部材２０を嵌合させるように、ダイヤル釦ユニット１３をアッパーケース３の裏面側に位置決めする。第２の押釦１１を規制部材２０の摺動孔２０ａに嵌合させた状態で、ラバーシート２２とプリント基板２５とを順次ダイヤル釦ユニット１３に重ね、図６に示すようにねじ２６によって、ダイヤル釦ユニット１３、ラバーシート２２およびプリント基板２５をアッパーケース３の裏面側に取り付ける。このようにアッパーケース３に取り付けられたダイヤルボタンユニット１３の規制部材２２は、枠状部材１４および支持部１８を介してアッパーケース３に固定される。
【００２１】
この状態で、第１の押釦１０は、図４に示すように鍔１０ｆが操作窓９の下端縁に係合し、操作窓９からの抜けが規制されるとともに、ラバーシート２２の第１の押圧体２３によって操作窓９から突出する方向に付勢されている。第２の押釦１１は鍔１１ａが規制部材２０の摺動孔２０ａの下端縁に係合し、操作窓９からの抜けが規制されるとともに、ラバーシート２２の第２の押圧体２４によって操作窓９から突出する方向に付勢されている。このとき、第２の押釦１１は予め規制部材２０によってラバーシート２２側（矢印Ａ方向）に押圧されている。すなわち、規制部材２０に係合した第２の押釦１１によって、ラバーシート２２の第２の押圧体２４が矢印Ａ方向にわずかに押圧され、弾性支持部２４ａがわずかに弾性変形している。
【００２２】
このような構成において、第１の押釦１０の４個の操作部１０ｂないし１０ｅのうちの操作部１０ｄを選択的に押し下げると、図７に示すように、弾性支持部２３ａが撓み第１の押圧体２３が押し下げられ、導電部２３ｂを介してプリント基板２５の第１の接点部２５ａが閉成される。一方、第２の押釦１１を押し下げると、弾性支持部２４ａが撓み、図８に示すように第２の押圧体２４が押し下げられ、導電部２４ｂを介してプリント基板２５の第２の接点部２５ｂが閉成される。
【００２３】
このように、第２の押釦１１を規制部材２０によってアッパーケース３の操作窓９からの抜けを規制したことにより、第１の押釦１０と第２の押釦１１との押し下げ操作時に両押釦１０，１１の互いの独立性が保たれるため、第１の押釦１０の押し下げ時に第２の押釦１１が追従して動くようなことがない。このため、第１の押釦１０の押し下げ時に第２の押釦１１の負荷がかかるようなことがないから、第１の押釦１０の操作性が向上する。また、第１の押釦１０の押し下げ操作によって第２の押釦１１が追従することがないから、第１の押釦１０の押し下げ操作時に、第２の押圧体２４の導電部２４ｂによって誤ってプリント基板２５の第２の接点部２５ｂが閉成されるようなこともない。
【００２４】
また、規制部材２０に係合した第２の押釦１１によって、ラバーシート２２の第２の押圧体２４が矢印Ａ方向にわずかに押圧されている状態にあり、弾性支持部２４ａがわずかに弾性変形しているように構成されていることにより、第２の押釦１１が予めラバーシート２２から第２の押釦１１を指によって押圧する方向（矢印Ａ方向）と反対方向に付勢されている。したがって、指による第２の押釦１１の押圧開始時において、図９に示すように指に予め負荷Ｐ１が加わる。同時に、第２の押釦１１を押し下げる力をＰ１からＰ２へと大きくすることにより、第２の押釦１１によって第２の接点部２５ｂを閉成させるまでの第２の押釦１１のストロークをＬ１からＬ２と短くすることができる。このため、第２の押釦１１によって第２の接点部２５ｂを閉成させる際に、ラバーシートでありながらコンタクタスイッチと同様なクリック感を指に付与することができるから操作感覚を向上させることができる。また、規制部材２０を枠状部材１４に支持された機能釦７やダイヤル釦８と共にアッパーケース３に組み付けることができるため組立が容易になる。
【００２５】
なお、本実施の形態においては、規制部材２０をダイヤル釦８等を支持する枠状部材１４に設けた例を説明したが、部品が実装されアッパーケース３に取り付けられるブラケットに設けてもよく、要はロアケース２を含めた筺体に取り付けられる取付部材に設ければよい。
【図面の簡単な説明】
【００２６】
【図１】本発明に係る押釦スイッチの構造を適用した電話機の外観斜視図である。
【図２】本発明に係る押釦スイッチの構造を適用した電話機の平面図である。
【図３】本発明に係る押釦スイッチの構造の要部を分解して示す斜視図である。
【図４】図２におけるIV-IV 線断面図である。
【図５】同図（Ａ）は本発明に係る押釦スイッチの構造におけるダイヤル釦ユニットの平面図、同図（Ｂ）は同図（Ａ）におけるＶ（Ｂ）矢視図である。
【図６】図２におけるVI-VI 線断面図である。
【図７】本発明に係る押釦スイッチの構造において、第１の押釦を押し下げた状態を示す図２におけるIV-IV 線断面図である。
【図８】本発明に係る押釦スイッチの構造において、第２の押釦を押し下げた状態を示す図２におけるIV-IV 線断面図である。
【図９】本発明に係る押釦スイッチの構造において、第２の押釦を押し下げる力と第２の押釦のストロークとの関係を説明するための図である。
【符号の説明】
【００２７】
１…電話機、３…アッパーケース、７Ａ…機能釦、８…ダイヤル釦、９…操作窓、１０…第１の押釦、１１…第２の押釦、１３…ダイヤル釦ユニット、１４…枠状部材、１８…支持部、２０…規制部材、２２…ラバーシート、２３…第１の押圧体、２４…第２の押圧体、２３ｂ，２４ｂ…導電部、２５…プリント基板、２５ａ…第１の接点部、２５ｂ…第２の接点部。
【図１】
2008130419.tif 000003
【図２】
2008130419.tif 000004
【図３】
2008130419.tif 000005
【図４】
2008130419.tif 000006
【図５】
2008130419.tif 000007
【図６】
2008130419.tif 000008
【図７】
2008130419.tif 000009
【図８】
2008130419.tif 000010
【図９】
2008130419.tif 000011